(57)【要約】      （修正有）【課題】短時間で容易にお団子ヘアを作ることができるとともに、凹凸に富んだボリューム感のあるお団子ヘアを形成することができるヘアアレンジ具を提供する。【解決手段】ヘアアレンジ具１は、頭髪の第１の部分を保持する保持孔１１を有するリング部材１０と、リング部材１０の表面に配置される付加部材２０と、リング部材１０に付加部材２０を固定する固定部材３０Ａ，３０Ｂとを備える。付加部材２０は、リング部材１０との間で頭髪の第２の部分を係止することができる。固定部材３０Ａ，３０Ｂによってリング状部材１０に付加部材２０が固定されることにより、リング状部材１０と付加部材２０との間に頭髪の第２の部分を挿通させる挿通部２１が形成される。【選択図】図１
0003195589.tif 000002
【実用新案登録請求の範囲】
【請求項１】
頭髪の第１の部分を保持する保持孔を有するリング部材と、
前記リング部材の表面上に配置される付加部材であって、前記リング部材との間で頭髪の第２の部分を係止する付加部材と、
前記リング部材と前記付加部材との間に前記頭髪の第２の部分を挿通させる挿通部が形成されるように、前記リング部材に前記付加部材を固定する固定部材と、
を備えることを特徴とするヘアアレンジ具。
【請求項２】
前記頭髪の第１の部分が束ねられた頭髪であることを特徴とする請求項１に記載のヘアアレンジ具。
【請求項３】
前記頭髪の第２の部分が、前記頭髪の束ねられた部分よりも毛先側の頭髪であることを特徴とする請求項２に記載のヘアアレンジ具。
【請求項４】
前記リング部材が、立体網目構造を有するネット状部材で形成されていることを特徴とする請求項１から３のいずれか一項に記載のヘアアレンジ具。
【請求項５】
前記付加部材が複数の螺旋構造を有することを特徴とする請求項１から４のいずれか一項に記載のヘアアレンジ具。
【請求項６】
前記付加部材が前記リング部材の全周に渡って設けられていることを特徴とする請求項１から５のいずれか一項に記載のヘアアレンジ具。
【請求項７】
前記付加部材が面ファスナで形成されていることを特徴とする請求項１から６のいずれか一項に記載のヘアアレンジ具。
【請求項８】
前記固定部材の外側の面が、面ファスナで形成されていることを特徴とする請求項１から７のいずれか一項に記載のヘアアレンジ具。
【考案の詳細な説明】
【技術分野】
【０００１】
本考案は、ヘアアレンジ具に係り、特に、いわゆるお団子ヘアを作るためのヘアアレンジ具に関するものである。
【背景技術】
【０００２】
女性のポピュラーなヘアスタイルとして、頭頂部付近の後頭部側で頭髪を束ねて頭髪を団子状に形成する、いわゆるお団子ヘアが挙げられる。このお団子ヘアは、概して、頭髪の一部をヘアゴムなどで束ねポニーテールを形成した後に、該ポニーテールをその根本部分に繰返し巻きつけることによって形成することができる。しかしながら、この場合、巻きつけた頭髪を型崩れさせないように保持するために、ヘアピンなどを用いて、巻きつけた頭髪を適宜頭部に固定していく必要があるため、お団子ヘアを形成するために時間と労力を要する。また、後頭部側で美しいお団子を形成するために、相当の技量が必要とされる。さらに、この方法では、頭髪の巻きつけ具合によってしかお団子に立体感を出すことができないため、凹凸に富んだボリューム感のあるお団子ヘアをアレンジすることができない。
【考案の概要】
【考案が解決しようとする課題】
【０００３】
本考案は、このような従来技術の問題点に鑑みてなされたもので、短時間で容易にお団子ヘアを作ることができるとともに、凹凸に富んだボリューム感のあるお団子ヘアを形成することができるヘアアレンジ具を提供することを目的とする。
【課題を解決するための手段】
【０００４】
本考案の一実施態様によれば、短時間で容易にお団子ヘアを作ることができるとともに、凹凸に富んだボリューム感のあるお団子ヘアを形成することができるヘアアレンジ具が提供される。このヘアアレンジ具は、頭髪の第１の部分を保持する保持孔を有するリング部材と、上記リング部材の表面に配置される付加部材と、上記リング部材に上記付加部材を固定する固定部材とを備える。上記付加部材は、上記リング部材との間で頭髪の第２の部分を係止することができる。上記固定部材によって上記リング状部材に上記付加部材が固定されることにより、上記リング状部材と上記付加部材との間に上記頭髪の第２の部分を挿通させる挿通部が形成される。
【０００５】
このように、本実施形態によれば、上記保持孔に頭髪の第１の部分を挿通させることによって頭髪の第１の部分を保持することができるため、リング部材の上面に嵩高いお団子ヘアを形成することができる。また、上記挿通部に頭髪の第２の部分を挿通させて上記リング部材と上記付加部材との間に頭髪の第２の部分を係止することができるため、リング状部材の周囲に比較的嵩の低いお団子ヘアを形成することができる。したがって、このヘアアレンジ具によれば、凹凸に富んだボリューム感のあるお団子ヘアを形成することができる。また、上記保持孔と上記挿通部に頭髪を挿通させることによりお団子ヘアを形成することができるため、お団子ヘアの形を維持するためにヘアピンなどを使用する必要がない（又はヘアピンの使用数を最小限に抑えることができる）ため、短時間で容易にお団子ヘアを作ることができる。
【０００６】
ここで、上記頭髪の第１の部分が束ねられた頭髪となるように、ヘアアレンジ具を構成してもよい。このような構成により、リング部材の上面に、よりボリューム感のあるお団子ヘアを形成することができる。なお、この場合において、上記頭髪の第２の部分が上記頭髪の束ねられた部分よりも毛先側の頭髪となるようにヘアアレンジ具を構成することが好ましい。
【０００７】
また、上記付加部材を上記リング部材の全周に渡って設けることが好ましい。このような構成により、ヘアアレンジ具の全周に渡ってお団子ヘアを形成することができる。また、上記付加部材を複数の螺旋構造を有する部材で構成することが好ましい。このような構成により、この螺旋構造の内側に頭髪を挿通させることができるため、上記頭髪の第２の部分をしっかりと係止することができる。また、頭髪の巻きつけ具合に変化をつけることができるため、ラフなお団子ヘアを形成することができる。
【０００８】
ここで、立体網目構造を有するネット状部材で上記リング状部材を形成することが好ましい。このような構成によって、頭髪をリング部材に形成された微小な網目構造に絡めることができるため、頭髪をしっかりと係止することができ、お団子ヘアの型崩れを防止することができる。また、上記付加部材を面ファスナで形成することが好ましい。このような構成によって、頭髪を付加部材に形成された微小な突起に絡めることができる。その結果、頭髪をしっかりと係止することができ、お団子ヘアの型崩れを防止することができる。さらに、上記固定部材の外側の面を、面ファスナで形成することが好ましい。このような構成によって、固定部材に形成された微小な突起により頭髪を係止することができるため、お団子ヘアの型崩れを防止することができる。
【考案の効果】
【０００９】
本考案によれば、頭髪の第１の部分を保持可能な保持孔を有するリング部材と、リング部材の表面に配置され、上記リング部材との間で頭髪の第２の部分を係止する付加部材と、上記リング部材と上記付加部材との間に上記頭髪の第２の部分を挿通させる挿通部が形成されるように、上記リング部材に上記付加部材を固定する固定部材とを備えたことにより、上記保持孔に上記頭髪の第１の部分が保持されることによって形成されるお団子ヘアと、上記リング部材と上記付加部材との間で上記頭髪の第２の部分が係止されることによって形成されるお団子ヘアとを形成することができるため、凹凸に富んだボリューム感のあるお団子ヘアを形成することができる。また、上記保持孔と上記挿通部に頭髪を挿通させることによりお団子ヘアを形成することができるため、短時間で容易にお団子ヘアを作ることができる。
【図面の簡単な説明】
【００１０】
【図１】本考案の一実施形態におけるヘアアレンジ具を示す斜視図である。
【図２】図１のヘアアレンジ具の正面図である。
【図３】図１のヘアアレンジ具の右側面図である。
【図４】図１のヘアアレンジ具の底面図である。
【図５Ａ】図１のヘアアレンジ具の使用状態を示す模式図である。
【図５Ｂ】図１のヘアアレンジ具の使用状態を示す模式図である。
【図５Ｃ】図１のヘアアレンジ具の使用状態を示す模式図である。
【考案を実施するための形態】
【００１１】
以下、本考案に係るヘアアレンジ具の実施形態について図１から図５Ｃを参照して詳細に説明する。なお、図１から図５Ｃにおいて、同一又は相当する構成要素には、同一の符号を付して重複した説明を省略する。また、図面においては、理解しやすいようにサイズが誇張されている場合がある。
【００１２】
図１は本考案の一実施形態におけるヘアアレンジ具１を示す斜視図、図２は図１に示すヘアアレンジ具１の正面図、図３は右側面図、図４は底面図である。図１から図４に示すように、本実施形態におけるヘアアレンジ具１は、立体網目構造を有するネット状のリング部材１０と、複数の螺旋構造を有するテープ状の付加部材２０と、２つのテープ状の固定部材３０（３０Ａ，３０Ｂ）とを備える。付加部材２０は、固定部材３０Ａ，３０Ｂによってリング部材１０に固定されている。
【００１３】
図１から図４に示すように、リング部材１０の中央部には保持孔１１が形成されており、保持孔１１に頭髪を挿通させることによって、頭髪を盛り上がらせた状態（以下、「お団子ヘア」と記す。）にして保持することができるようになっている。この場合において、ヘアアレンジ具１は、リング部材１０の底面１２が使用者の頭表面に実質的に接するように配置される。一方、リング部材１０の底面１２と逆側の面である上面１３には、全周に渡って付加部材２０が設けられている。
【００１４】
図１及び図４に示すように、２つの固定部材３０Ａ，３０Ｂは、リング部材１０の中心軸に対して対称に配置され、付加部材２０をリング部材１０に固定している。一方、図１及び図３に示すように、固定部材３０Ａ，３０Ｂが設けられていない部分では、リング部材１０と付加部材２０とは固定されておらず、リング部材１０と付加部材２０との間には、頭髪を挿通させ係止することができるスペースとして挿通部２１が形成されている（図５Ａ参照）。
【００１５】
図５Ａから図５Ｃは、ヘアアレンジ具１の使用状態を示す模式図である。図５Ａに示すように、ヘアアレンジ具１を使用する場合、例えば、まず、頭髪を束ねて２つ折りにして、その折り返し部分４１をリング部材１０の保持孔１１に挿通させる。その後、折り返し部分４１を上下左右に引っ張りながら折り返し部分４１をラフな形に整える。これにより、頭髪の保持孔１１に挿通されている部分５１（頭髪の第１の部分）がヘアアレンジ具１によって保持されるとともに、リング部材１０の上面１３に、頭髪の折り返し部分４１を頂部とする嵩高いお団子ヘアＤ１を形成することができる（ステップ１）。
【００１６】
一方、図５Ａに示すように、ステップ１によって、頭髪の第１の部分５１より毛先側の部分５２は、リング部材１０の底面１２からはみ出した状態になっている。そこで、図５Ａに示すように、頭髪の毛先側の部分５２Ａを、付加部材２０に巻きつけるようにして挿通部２１に挿通させる。このようにすることで、頭髪の毛先側の部分５２Ａの一部分５３（頭髪の第２の部分）が、リング部材１０と付加部材２０との間に挟み込まれることにより、頭髪の毛先側の部分５２Ａをヘアアレンジ具１に係止することができる（ステップ２）。このようなステップ２を繰り返すことにより、図５Ｂに示すような、お団子ヘアＤ１に比べて嵩が低いお団子ヘアＤ２が形成される。
【００１７】
その後、図５Ｂに示すステップ２を行っていない頭髪の毛先側の部分５２Ｂに対してもステップ２を行う。すなわち、付加部材２０のうち、頭髪の毛先側の部分５２が巻きついていない部分に、頭髪の毛先側の部分５２Ｂを巻きつけていく。これにより、図５Ｃに示すように、ヘアアレンジ具１の全周囲に渡ってお団子ヘアＤ２を形成することができる。
【００１８】
以上のように、本実施形態によれば、図５Ｃに示すように、ヘアアレンジ具１の中心部に嵩高いお団子ヘアＤ１を形成することができ、お団子ヘアＤ１の周囲にお団子ヘアＤ１に比べて嵩が低いお団子ヘアＤ２を形成することができる。すなわち、ヘアアレンジ具１の使用者の頭部に、凹凸に富んだボリューム感のあるお団子ヘアを形成することができる。また、本実施形態によれば、保持孔１１及び挿通部２１に頭髪を挿通させることにより、お団子ヘアを形成することができるため、従来のようにヘアピンなどを用いて頭髪を固定する必要がなく（又は、ヘアピンなどの使用数を最小限に抑えることができる）、短時間で容易にお団子ヘアを形成することができる。
【００１９】
さらに、本実施形態によれば、付加部材２０は、図１から図３に示すように螺旋構造を有しているため、この螺旋構造の内側に頭髪を挿通させることも可能である。したがって、頭髪の第２の部分５３をしっかりと係止することができるともに、頭髪の毛先側の部分５２の巻きつけ具合に変化をつけることができるため、ラフなお団子ヘアを形成することができる。
【００２０】
なお、本実施形態において、リング部材１０は、立体網目構造を有するネット状部材（例えばナイロン）で構成されることが好ましい。このような構成にすることによって、頭髪がリング部材１０に形成された微小な網目構造に絡まるため、頭髪をしっかりと係止することができ、お団子ヘアの型崩れを防止することができる。
【００２１】
また、付加部材２０を面ファスナで形成することが好ましい。このような構成にすることによって、頭髪を付加部材２０に形成された微小な突起に絡めることができる。その結果、頭髪をしっかりと係止することができ、お団子ヘアの型崩れを防止することができる。
【００２２】
さらに、固定部材３０Ａ，３０Ｂのリング部材１０外側の面（外部に露出している面）を面ファスナで形成することが好ましい。このような構成により、固定部材３０Ａ，３０Ｂにおいても、面ファスナに形成された微小な突起により頭髪を係止することができ、お団子ヘアの型崩れを防止することができる。
【００２３】
これまで本考案の一実施形態について説明したが、本考案は上述の実施形態に限定されず、その技術的思想の範囲内において種々異なる形態にて実施されてよいものであることは言うまでもない。例えば、３以上の固定部材３０によってリング部材１０と付加部材２０とを固定することもできる。この場合には、リング部材１０の周方向に沿って等間隔に配置することが好ましい。このような構成により、リング部材１０と付加部材２０とをリング部材の周方向に沿って均等に固定することができるため、リング部材と付加部材２０とをしっかりと固定することができる。
【００２４】
なお、本明細書において使用した用語「下」、「上」、「底」その他の位置関係を示す用語は、図示した実施形態との関連において使用されているのであり、器具の相対的な位置関係によって変化するものである。
【符号の説明】
【００２５】
１    ヘアアレンジ具
１０    リング部材
１１    保持孔
１２    底面
１３    上面
２０    付加部材
２１    挿通部
３０Ａ，３０Ｂ    固定部材
４１    折り返し部分
５１    頭髪の第１の部分
５３    頭髪の第２の部分
Ｄ１，Ｄ２    団子ヘア
【図１】
0003195589.tif 000003
【図２】
0003195589.tif 000004
【図３】
0003195589.tif 000005
【図４】
0003195589.tif 000006
【図５Ａ】
0003195589.tif 000007
【図５Ｂ】
0003195589.tif 000008
【図５Ｃ】
0003195589.tif 000009